(57)【要約】【課題】デモモード再生等の目的で光ディスクのトレイをロックする機能を備えた再生装置において、より的確、確実にデータの消去やデータの抜き出しを防止する。【解決手段】  ＤＶＤレコーダ１は、ＤＶＤ１０４、ＨＤ１４０、メモリカード１０５のデータを記録／読み取りをする記録／読取部１４等の音声や映像信号を出力する１２〜１７の構成と、制御部４、操作部７を備える。制御部４のＲＯＭ５には各種のプログラム５０〜５３を備える。デモモード設定プログラム５０は、所定の操作がされるとデモモードフラグ６１をオンにすると共に、トレイ部１８のトレイをロックさせる。光ディスク制御プログラム５１は、デモモードのフラグがオンになっていると、操作部７から光ディスクの記録の指示を受けてもその記録を指示しない。【選択図】図１
2008159166.tif 000002
【特許請求の範囲】
【請求項１】
マウントされた光ディスクへデータを記録または消去すると共に、前記光ディスクに記録されたデータを再生する第１の記録再生手段と、
装置本体に接続されまたは内蔵された、前記光ディスク以外の記録媒体について、データを記録または消去すると共に、この記録媒体に記録されたデータを再生する第２の記録再生手段と、
所定の操作を受けた場合に、前記光ディスクのトレイの開閉をロックするトレイロック機能と、を備えた光ディスク装置において、
前記トレイロック機能が動作している場合に、前記光ディスクへのデータの記録またはデータの消去を禁止すると共に前記光ディスクの再生を有効にし、かつ、前記記録媒体への記録またはデータのコピーを禁止するいたずら防止手段と、
前記トレイロック機能が動作している場合に、前記いたずら防止手段により前記禁止する動作をさせるときは、要求された動作ができない旨の禁止画面を出力する禁止表示制御手段と、
前記トレイロック機能が動作している場合に、装置本体に接続された、前記光ディスク以外の記録媒体が抜き出されたときは、所定の警告音を出力する警告手段を備え、
前記第２の記録再生手段は、前記記録媒体が挿入されたときに予め記録媒体の識別情報を取得し、
前記警告手段は、前記抜き出された記録媒体の識別情報と合致する記録媒体が挿入されない限り前記警告音を出力し続け、前記抜き出された記録媒体の識別情報と合致する記録媒体が挿入されると前記警告音の出力を停止する光ディスク装置。
【請求項２】
マウントされた光ディスクへデータを記録または消去すると共に、前記光ディスクに記録されたデータを再生する第１の記録再生手段と、
所定の操作を受けた場合に、前記光ディスクのトレイの開閉をロックするトレイロック機能と、を備えた光ディスク装置において、
前記トレイロック機能が動作している場合に、前記光ディスクへのデータの記録またはデータの消去を禁止すると共に、前記光ディスクの再生を有効にするいたずら防止手段を備えた光ディスク装置。
【請求項３】
装置本体に接続されまたは内蔵された、前記光ディスク以外の記録媒体について、データを記録または消去すると共に、この記録媒体に記録されたデータを再生する第２の記録再生手段をさらに備え、
前記いたずら防止手段は、前記トレイロック機能が動作している場合に、前記記録媒体への記録またはデータのコピーを禁止する請求項２に記載の光ディスク装置。
【請求項４】
前記トレイロック機能が動作している場合に、前記いたずら防止手段により前記禁止する動作をするときは、要求された動作ができない旨の禁止画面を出力する禁止表示制御手段をさらに備えた請求項２または請求項３のいずれかに記載の光ディスク装置。
【請求項５】
装置本体に接続されまたは内蔵された、前記光ディスク以外の記録媒体について、データを記録または消去すると共に、前記記録媒体に記録されたデータを再生する第２の記録再生手段をさらに備え、
前記いたずら防止手段は、前記光ディスク以外の記録媒体のうち、装置本体に接続されているものについて、前記第２の記録再生手段による記録媒体へのアクセスを禁止する請求項２に記載の光ディスク装置。
【請求項６】
前記トレイロック機能が動作している場合に、装置本体に接続された、前記光ディスク以外の記録媒体が抜き出されたときは、所定の警告音を出力する警告手段を備えた請求項３〜５のいずれかに記載の光ディスク装置。
【請求項７】
前記第２の記録再生手段は、前記記録媒体が挿入されたときに予め記録媒体の識別情報を取得し、
前記警告手段は、前記抜き出された記録媒体の識別情報と合致する記録媒体が挿入されない限り前記警告音を出力し続け、前記抜き出された記録媒体の識別情報と合致する記録媒体が挿入されると前記警告音の出力を停止する請求項６に記載の光ディスク装置。
【発明の詳細な説明】
【技術分野】
【０００１】
本発明は、店頭での陳列時にいたずらを防止するため、光ディスクのトレイをロックする機能を備えた再生装置に関する。
【背景技術】
【０００２】
従来より、ＤＶＤプレーヤ等の光ディスク装置の店頭での陳列時にいたずらされないよう、所定の特別な操作を行ったときにトレイをロックするデモモードの機能を備えた光ディスク装置が実用化されている。また、特許文献１には、所定の鍵スイッチを設けた場合に、光ディスクのトレイ（以下、単に「トレイ」という）の動作を無効にするセキュリティ機構つき光学式ドライブ装置が開示されている。また、特許文献２には、ＳＤカードを覆うようにトレイを構成し、デモモードにあるときはトレイを開かないようにして、ＳＤカードの抜き差しを禁止する光ディスク装置が開示されている。また、メモリカードへの記録、読み取りを禁止する装置が開示されている（特許文献３、４等）。
【特許文献１】特開２００４−１３４０３０公報
【特許文献２】特開２００４−１９９８１５公報
【特許文献３】特開２００２−２５１５９５公報
【特許文献４】特開２００６−７２９０５公報
【発明の開示】
【発明が解決しようとする課題】
【０００３】
しかしながら、特許文献１の構成のように、単にトレイの開閉にロックをかけるだけでは、装置本体のデータの消去、記録を防止したり、客が用意した記録媒体からのデータの抜き出しを防止したりするには十分でなかった。また、特許文献２の構成では、光ディスクのトレイが開いていないとＳＤカードが取り出せないとすると、デモモードはともかく、実使用上不便になる虞があった。
【０００４】
そこで、本発明は、デモモード再生等の目的で光ディスクのトレイをロックする機能を備えた再生装置において、より的確にデータの消去やデータの抜き出し、盗難等のいたずらを防止することを目的とする。
【課題を解決するための手段】
【０００５】
本発明は、上述の課題を解決するための手段を以下のように構成している。
【０００６】
（１）マウントされた光ディスクへデータを記録または消去すると共に、前記光ディスクに記録されたデータを再生する第１の記録再生手段と、
所定の操作を受けた場合に、前記光ディスクのトレイの開閉をロックするトレイロック機能と、を備えた光ディスク装置において、
前記トレイロック機能が動作している場合に、前記光ディスクへのデータの記録またはデータの消去を禁止するいたずら防止手段を備えた。
【０００７】
この構成では、トレイロック機能が動作しているときでも、光ディスクの再生を有効にしているので、トレイロック機能を動作しつつ、デモ再生をすることができる。そして、トレイロック機能が動作している場合に、いたずら防止手段が前記光ディスクへのデータの記録またはデータの消去を禁止するので、デモ再生を継続できなくなったり、デモ用の光ディスクのデータの損傷を受けたりしないですむ。この構成によれば、光ディスク内のデータの消去を的確に防止することができる。
【０００８】
（２）装置本体に接続されまたは内蔵された、前記光ディスク以外の記録媒体について、データを記録または消去すると共に、この記録媒体に記録されたデータを再生する第２の記録再生手段をさらに備え、
前記いたずら防止手段は、前記トレイロック機能が動作している場合に、前記記録媒体への記録またはデータのコピーを禁止する。
【０００９】
この構成では、いたずら防止手段は、前記トレイロック機能が動作している場合に、記録媒体（例えばメモリカード）への記録またはデータのコピーを禁止するので、記録媒体が挿入されて、この記録媒体を通して、データが抜き出されることを防止できる。したがって、例えば、デモモード再生するための光ディスクのデータが抜き出されたりすることを防止できる。
【００１０】
（３）  前記トレイロック機能が動作している場合に、前記いたずら防止手段により前記禁止する動作をするときは、要求された動作ができない旨の禁止画面を出力する禁止表示制御手段をさらに備えた。
【００１１】
この構成では、前記トレイロック機能が動作している場合に、前記いたずら防止手段により前記禁止する動作をするときは、要求された動作ができない旨の禁止画面を出力する。したがって、故障かどうか判別することができると共に、装置を操作している者に対して警告することができる。
【００１２】
（４）装置本体に接続されまたは内蔵された、前記光ディスク以外の記録媒体について、データを記録または消去すると共に、前記記録媒体に記録されたデータを再生する第２の記録再生手段をさらに備え、
前記いたずら防止手段は、前記光ディスク以外の記録媒体のうち、装置本体に接続されているものについて、前記第２の記録再生手段による記録媒体へのアクセスを禁止する。
【００１３】
この構成では、前記光ディスク以外の記録媒体のうち、装置本体に接続されているものについて、前記第２の記録再生手段による記録媒体へのアクセスを禁止する。したがって、この記録媒体を読み取りて、装置内部、例えばハードディスクにデータが記録されたり、記録媒体が挿入されて、装置内部のデータ（例えば光ディスクやハードディスク内のデータ）がこの記録媒体に抜き出されることを防止できる。
【００１４】
なお、ここでのアクセスの禁止とは、少なくとも記録媒体への記録の禁止、記録媒体の読み出しの禁止をいう。
（５）前記トレイロック機能が動作している場合に、装置本体に接続された、前記光ディスク以外の記録媒体が抜き出されたときは、所定の警告音を出力する警告手段を備えた。
【００１５】
この構成では、警告手段が、前記光ディスク以外の記録媒体が抜き出されたときに所定の警告音を出力するので、装置の管理者が遠く離れていても盗難を知らせることができ、盗難を防止することができる。例えば、デモモード再生中は、販売員が装置を操作している客に密着していると煙たがれたりして近づけないことも多いが、この警告手段は音声で警告音を出力するので、遠く離れている販売員に知らせることができる。
【００１６】
（６）前記第２の記録再生手段は、前記記録媒体が挿入されたときに予め記録媒体の識別情報を取得し、
前記警告手段は、前記抜き出された記録媒体の識別情報と合致する記録媒体が挿入されない限り前記警告音を出力し続け、前記抜き出された記録媒体の識別情報と合致する記録媒体が挿入されると前記警告音の出力を停止する。
【００１７】
この構成では、前記第２の記録再生手段が、前記記録媒体が挿入されたときに予め記録媒体固有の識別情報を取得しているので、どの記録媒体が挿入されているかを管理することができる。したがって、その媒体を抜き取った後、別の媒体が挿入された場合にそのことを検出できる。そして、警告手段は、前記抜き出された記録媒体のＩＤと合致する記録媒体が挿入されるまで前記警告音を出力し続けるので、操作者が装置に挿入された記録媒体を抜き取って別の媒体を入れても、前記警告音を出力し続けることになる。即ち、操作者が装置に挿入された正規の記録媒体を挿入して返却しない限り、前記警告音を出力し続ける。したがって、盗難防止効果をいっそう高めることができる。また、この構成では、警告手段は正規の記録媒体が挿入されると警告音の出力を停止するから、正規の記録媒体が装置に挿入され返却されれば無意味に警告音が出力されることを防止できる。
【発明の効果】
【００１８】
この発明によれば、デモモード再生等の目的で光ディスクのトレイをロックする機能を備えた再生装置において、より的確にデータの消去やデータの抜き出し、盗難等のいたずらを防止するできる。
【発明を実施するための最良の形態】
【００１９】
図１は、この発明の実施形態であるＤＶＤレコーダ（１で図示。）の主要部の構成を示すブロック図である。この実施形態のＤＶＤレコーダ１は、ＤＶＤに対するタイトルの記録（録画）、およびＤＶＤに記録されているタイトルの再生を行う。なお、この実施形態のＤＶＤレコーダ１にマウント可能な光ディスクは、ＤＶＤ１００、ＤＶＤ−ＲＯＭ等である。
【００２０】
入力部１２には、アナログ形式の映像信号、音声信号が入力される。アンテナ（不図示）で受信されたアナログ形式のテレビ放送信号や、ＶＨＳテープのドライブから入力されたアナログ形式の映像信号、音声信号を入力する。
【００２１】
符号化部１３は、入力部１２で入力したアナログ形式の映像信号および音声信号をデジタル信号に変換して、これらをエンコードする。符号化部１３は、このエンコードしたデータを記録／読取部１４に出力する。
【００２２】
記録／読取部１４は、符号化部１３が生成したデータをＤＶＤ１００に記録する処理や、ＤＶＤ１００に記録されているタイトルの記録データを読み取る処理を行う。記録／読取部１４は、光ディスク記録／読取部１４１とハードディスクドライブ１４２（ＨＤＤ１４２と略す）とを備える。
【００２３】
光ディスク記録／読取部１４１は、ＤＶＤ１００にレーザ光を照射し、その反射光を検出するピックアップヘッド（不図示）や、ＤＶＤ１００に照射しているレーザ光の照射位置を制御するフォーカスサーボ制御やトラッキングサーボ制御等を行うサーボ制御部（不図示）等を有している。データの記録時には、記録／読取部１４は、ＤＶＤ１００に照射するレーザ光を、ＤＶＤ１００に記録する記録データに基づいて変調する記録制御を行う。また、ＤＶＤ１００に記録されているデータを読み取って増幅したＲＦ信号をデコーダ１５に入力する。また、光ディスク記録／読取部１４１は、記録／読取部１４が読み取ったＲＦ信号から、映像データ、および音声データを抽出する。
【００２４】
ＨＤＤ１４２は、符号化部１３でエンコードされたデータをハードディスク１４３（ＨＤ１４３と略す）に記録する。また、ＨＤＤ１４２は、ＨＤ１４３に記録されたデータを読み取って、デコーダ１５に送る。
【００２５】
メモリカードリーダ１４３は、メモリカード１０５のアクセスを制御する。メモリカードリーダ１４３は、符号化部１３でエンコードされたデータをメモリカード１０５に記録する。また、メモリカードリーダ１４３は、メモリカード１０５に記録されたデータを読み取って、デコーダ１５に送る。
【００２６】
デコーダ１５は記録／読取部１４で読み取ったデータをデコードし、デコードした映像データ、および音声データをＤ／Ａ変換して、ＯＳＤ合成部１６に入力する。
【００２７】
ＯＳＤ合成部１６（オンスクリーンディスプレイ）は、単独で、または本体の設定情報等各種の情報を表示する映像信号を生成する。またデコーダ１５から映像信号が出力されている場合には、この映像信号と合成する。この実施形態では、特に、後述のプログラムの動作時に、デモモードであるから指示された機能が実行できない旨の所定の画面表示を行う。
【００２８】
出力部１７は、読取信号処理部１５で処理された記録データをＤ／Ａ変換して、再生信号を出力する。出力部１７には、映像を表示する表示装置１１や、音声を放出するスピーカ１２が接続されている。出力部１７は、読取信号処理部１５から入力された映像データに基づく映像信号、音声信号を同期させて出力する。
【００２９】
トレイ部１８は、ＤＶＤレコーダ１本体に対し開閉可能に支持された、ＤＶＤ１０４を載せるトレイ、トレイの開閉を駆動するモータ等を含むトレイ駆動部、トレイを閉じた状態でロックするロック機構を備えている。デモモード設定プログラム５０が実行され、デモモードが設定されると、ロック機構はトレイに設けた図示しない溝にロックをかみ合わせて、トレイを閉じた状態で保持する。デモモード設定プログラム５０が実行され、デモモードが解除されると、ロック機構はロックを解除する。なお、トレイを閉じたときには常にロック機構のロックをかけるようにしてもよい。
【００３０】
操作部７は、装置本体に対する入力操作を受け付ける。例えば操作部７は、映像信号のＤＶＤ１００への記録の指示や、録画の予約の指示入力を受け付ける。
【００３１】
制御部４は、ＣＰＵ、制御データ格納用のＲＯＭ５を備え、操作部７で受け付けた入力に基づいて、以上で示した各部の動作を制御する。ＲＯＭ５には、デモモード設定プログラム５０Ａ、デモモード解除プログラム５０Ａ、ディスク制御プログラム５１、メモリカード制御プログラム５２、カード取出アラームプログラム５３が記録されている。
【００３２】
デモモード設定プログラム５０は、一般のユーザにはわからない所定の一連のキー操作を受けた場合に、ＤＶＤレコーダ１をデモモードに設定する。具体的には、制御部４内のメモリ６に記憶したデモモードフラグ６１をオンにすると共に、トレイ部１８のロック機構を動作させて、トレイをロックする。トレイをロックすることにより、店頭陳列時のいたずらを防ぐことができる。制御部４は、操作部７から所定の操作入力（特に記録／読取部１４の処理を指示する操作入力）を受けた場合、または、カードが取り出され、データが送信できない旨を入力した場合には、デモモードフラグ６１がオンかどうかチェックし、オンであれば、５１〜５３の各プログラムを実行する。
【００３３】
制御部４は、ディスク制御プログラム５１を実行することにより、メモリカードリーダ１４３の動作を制御する。制御部４が、メモリカード制御プログラム５２を実行させると、デモモードフラグ６１をチェックして、このフラグがオンである場合には、記録の指示入力を受けても記録しない。
【００３４】
制御部４は、メモリカード制御プログラム５２を実行することにより、メモリカードリーダ１４３の動作を制御する。制御部４がメモリカード制御プログラム５２を実行させると、デモモードフラグ６１をチェックしてこのフラグがオンである場合には、メモリカード１０５の識別情報を取得する以外は、メモリカード１０５へのアクセスをしない。具体的には、メモリカード１０５の記録、読み出しはもちろん、カードが挿入されても、表示装置１１０に画面にその旨の表示を出力することもしない。
【００３５】
制御部４は、メモリカード１０５が差し込まれ、メモリカード１０５と接続した場合に、予め、メモリカード１０５固有のメディアＩＤを取得しておく。そして、制御部４は、メモリカードリーダ１４３からメモリカード１０５の接続が切れたことの制御入力を受けた場合に（メモリカード１０５が抜き取られた場合に）、カード取出アラームプログラム５３を実行する。制御部４がカード取出アラームプログラム５３を実行すると、出力部１７に指示して、スピーカ１１１から所定のアラーム音を出力させる。その後、メモリカードリーダ１４３からメモリカード１０５と接続されたことの制御入力を受けた場合には、メモリカード１０５固有のメディアＩＤを取得し、接続が切れる前のメディアＩＤが同じであるか判断する。メディアＩＤが同じでなければ、アラームを継続し、同じあればアラームを停止する。
【００３６】
ＤＶＤレコーダ１には、チューナ１０１、ＡＶ機器１０２，１０３、表示装置１１、スピーカ１２を接続する。表示装置１１０は、出力部１７から出力された再生映像信号に基づく映像を表示する。スピーカ１１１は、出力部１７から出力された音声信号を音声に変換して放出する。
【００３７】
カード取出アラームプログラム５３を実行する場合に、アラーム音を出力させる場合には、ＤＶＤレコーダ１本体に図示しないスピーカを内蔵して出力させてもよい。
【００３８】
次に図２のフロー図を用いて、装置１のデモモード設定処理について説明する。制御部４は、キー入力を受けた場合には、どの制御入力か判断する。（Ａ）は、デモモード設定処理を、（Ｂ）は、デモモード解除処理を表している。
【００３９】
ＳＴ１で、制御部４は、操作部７から入力された操作が、デモモードの設定のための所定のキー操作か判断する。入力された操作がデモモードの設定のための所定のキー操作であれば（ＳＴ１のＹＥＳ）、制御部４は、デモモード設定プログラム５０Ａを実行する（ＳＴ２、ＳＴ３）。制御部４は、ＳＴ２で、デモモードフラグ６１をオンにし、ＳＴ３でトレイをロックさせる。
【００４０】
ＳＴ１０１で、制御部４は、操作部７から入力された操作が、デモモード解除のための所定のキー操作か判断する。入力された操作がデモモードの設定のための所定のキー操作であれば（ＳＴ１のＹＥＳ）、制御部４は、デモモード解除プログラム５０Ｂを実行する（ＳＴ１０２、ＳＴ１０３）。制御部４は、ＳＴ１０２で、デモモードフラグ６１をオフにし、ＳＴ３１０でトレイのロックを解除させる。
【００４１】
次に図３のフロー図を用いて、制御部４が光ディスク制御プログラム５１を実行した場合の処理について説明する。ＳＴ１１で、制御部４は、指示入力を受けると、ＤＶＤ１０４にデータの記録の指示があったかどうか判断する。この指示がない場合には（ＳＴ１１のＮＯ）、光ディスク制御プログラム５１の処理は待機状態となる（ＳＴ１１のＮＯ）。ＤＶＤ１０４にデータの記録の指示があった場合には（ＳＴ１１のＹＥＳ）、制御部４は、ＳＴ１２以下の光ディスク制御プログラム５１を実行する。ＳＴ１２で、制御部４は、デモモードフラグ６１がオンかどうか判断する。デモモードフラグ６１がオンであれば（ＳＴ１２のＹＥＳ）、ＳＴ１３で要求されたＤＶＤ１０４への記録ができない旨の表示を行い、ＤＶＤ１０４にデータの記録の指示を行わない。デモモードフラグ６１がオフであれば（ＳＴ１２のＮＯ）、ＳＴ１４で要求されたＤＶＤ１０４への記録を行い、その後光ディスク制御プログラム５１の処理を終了する。
【００４２】
次に図４のフロー図を用いて、制御部４がメモリカード制御プログラム５２を実行した場合の処理について説明する。ＳＴ２１で、制御部４は、メモリカード１０５にデータの記録の指示があったかどうか判断する。この指示がない場合には（ＳＴ２１のＮＯ）、メモリカード制御プログラム５２の処理を終了する。メモリカード１０５にデータの記録／読取の指示があった場合には（ＳＴ２１のＹＥＳ）、ＳＴ２２以下のメモリカード制御プログラム５２を実行する。
【００４３】
ＳＴ２２では、メモリカード１０５の識別情報を取得する。この識別情報はメモリカード１０５それぞれについて異なるデータが付されており、この識別情報を確認することで、メモリカード１０５が後に抜き去られても、メモリカード１０５が挿入されたときに同じメモリカードが返却されたか判断できる。
ＳＴ２３で、デモモードフラグ６１がオンかどうか判断する。デモモードフラグ６１がオンであれば（ＳＴ２２のＹＥＳ）、要求されたメモリカード１０５への記録／読取ができない旨の表示を行い、メモリカード１０５にデータの記録／読取の指示を行わない。デモモードフラグ６１がオフであれば（ＳＴ２２のＮＯ）、要求されたメモリカード１０５への記録を行い、その後、メモリカード制御プログラム５２の処理を終了する。
【００４４】
次に図５のフロー図を用いて、カード取出アラームプログラム５３の処理について説明する。ＳＴ３１で、メモリカード１０５が抜き取られたか判断する。具体的には、メモリカード１０５とメモリカードリーダ１４３との接続が途絶えたか判断する。メモリカード１０５が抜き取られていない場合には（ＳＴ３１のＮＯ）、カード取出アラームプログラム５３のフローは待機状態となる。メモリカード１０５が抜き取られた場合には（ＳＴ３１のＹＥＳ）、ＳＴ３２以下のカード取出アラームプログラム５３を実行する。
【００４５】
ＳＴ３２で、デモモードフラグ６１がオンかどうか判断する。デモモードフラグ６１がオフであれば（ＳＴ３２のＮＯ）、カード取出アラームプログラム５３のフローは終了する。デモモードフラグ６１がオンであれば（ＳＴ３２のＹＥＳ）、警告音を出力すると共に、「抜き取ったメモリカード１０５を差してください」といった旨の表示を行う。これにより、装置の管理者が遠く離れていても盗難を知らせることができ、盗難を防止することができる。
【００４６】
その後、ＳＴ３４で、メモリカード１０５が差し込まれたか判断する。メモリカード１０５が差し込まれていない限り（ＳＴ３４のＮＯ）、ＳＴ３３のアラーム音の出力を続ける。メモリカード１０５が差し込まれた場合には（ＳＴ３４のＹＥＳ）、ＳＴ３５に移動する。ＳＴ３５で、メモリカード１０５の抜き取り前と同一カードであるか判断する。メモリカード１０５の抜き取り前と同一カードであれば（ＳＴ３５のＹＥＳ）、抜き去り前のメモリカード１０５と同一のカードが返却されたと判断することができ、ＳＴ３６で、アラーム音の出力を停止すると共に、アラーム表示を停止する。メモリカード１０５の抜き取り前と同一カードでなければ（ＳＴ３５のＮＯ）、客が用意したカードが差されたと判断できる。そこで、この場合（ＳＴ３５のＮＯ）には、ＳＴ３３に戻り、抜き取られる前のメモリカード１０５が挿入されない限り、ＳＴ３３のアラーム音を出力し続ける。これにより、デモモード時に挿入された正しいカードが挿入されたかを判断できるので、操作者が装置に挿入された記録媒体を抜き取って別の媒体を入れても、前記警告音を出力し続けることになる。即ち、操作者が装置に挿入された正規の記録媒体を挿入して返却しない限り、前記警告音を出力し続ける。したがって、盗難防止効果をいっそう高めることができる。
【００４７】
なお、本実施形態の光ディスク制御プログラム５１、メモリカード制御プログラム５２、デモモードフラグ６１のオン・オフの状態を判断して所定の動作を指示しないのは、本発明の「禁止する」ことに相当する。この実施形態では、光ディスク制御プログラム５１、メモリカード制御プログラム５２が記録／読取部１４に指示しないとしたが、記録／読取部１４自体が、デモモードフラグ６１の状態を判断して、動作しない構成も可能である。
【００４８】
また、メモリカード１０５は、「前記光ディスク以外の記録媒体のうち、装置本体に接続されているもの」に相当する。ハードディスク１４０は、「内蔵されたもの」に相当する。
【図面の簡単な説明】
【００４９】
【図１】本実施形態のＤＶＤレコーダの構成図
【図２】本実施形態のデモモード設定プログラムの処理のフロー図
【図３】本実施形態の光ディスク制御プログラムの処理のフロー図
【図４】本実施形態のメモリカード制御プログラムのフロー図
【図５】本実施形態のカード取出アラームプログラムのフロー図
【符号の説明】
【００５０】
１−ＤＶＤレコーダ、  １２−入力部、  １３−符号化部、
１４−記録／読取部、  １４０−ハードディスク（ＨＤ）、
１４１−光ディスク記録／読取部、  １４１−ＨＤＤ、
１４３−メモリカードリーダ、  １５−デコーダ、  １６−ＯＳＤ合成部、
１７−出力部、  １８−トレイ部（トレイ、トレイ駆動部、ロック機構）、
４−制御部、  ５−ＲＯＭ、  ５０Ａ−デモモード設定プログラム、
５０Ｂ−デモモード解除プログラム、  ５１−光ディスク制御プログラム、
５２−メモリカード制御プログラム、  ５３−カード取出アラームプログラム、
６−メモリ、  ６１−デモモードフラグ、
７−操作部、  １０４−ＤＶＤ、  １０５−メモリカード、
１０２−ＡＶ機器、  １０３−ＡＶ機器、
１１０−表示装置、  １１１−スピーカ
【図１】
2008159166.tif 000003
【図２】
2008159166.tif 000004
【図３】
2008159166.tif 000005
【図４】
2008159166.tif 000006
【図５】
2008159166.tif 000007